(57)【要約】【課題】部品点数が削減され、安価にかつ容易に組付けることが可能で、かつ歯飛びが確実に防止されたベルト駆動機構を備えた原稿読取り装置を提供する。【解決手段】原稿読取り装置は、ベルト３１と、ベルト３１の内側に配置され、ベルト３１が掛け渡された駆動プーリ３２および従動プーリ３４と、ベルト３１の外側に配置され、ベルト３１に張力を付与するテンション用プーリ３８と、テンション用プーリ３５を押圧付勢する付勢バネ３８と、駆動プーリ３２を回転駆動するモータ３６とからなるベルト駆動機構３０を備えている。テンション用プーリ３５は、付勢バネ３８によって付勢されることにより、ベルト３１を内側に向かって押圧し、ベルト３１に張力を付与する。テンション用プーリ３２および付勢バネ３５は、いずれもモータ３６を筐体に固定するためのモータ固定用ブラケット４０に取付けられている。【選択図】図３
2007093935.tif 000002
【特許請求の範囲】
【請求項１】
筐体と、
前記筐体に設けられ、原稿が載置される原稿載置部と、
前記筐体の内部でかつ前記原稿載置部の下方に配置され、走査することによって前記原稿載置部上に載置された原稿を読取る原稿読取り部と、
前記原稿読取り部を駆動するためのベルト駆動機構とを備えた原稿読取り装置であって、
前記ベルト駆動機構は、
前記原稿読取り部に所定位置が固定された環状形状を有するベルトと、
前記ベルトの内側に配置され、前記ベルトが掛け渡された駆動プーリおよび従動プーリと、
前記駆動プーリを回転駆動するモータと、
前記ベルトの外側に配置され、前記ベルトを内側に向かって押圧することにより、前記ベルトに張力を与える張力付与手段とを含み、
前記張力付与手段は、
前記ベルトの外側に配置され、前記ベルトの外周面に当接するテンション用プーリと、
前記テンション用プーリを前記ベルトの外周面に向かって押圧付勢する付勢バネとを有し、
前記モータは、前記筐体にモータ固定用ブラケットを介して取付けられ、
前記駆動プーリは、前記モータ固定用ブラケットに設けられた支軸部に回転自在に取付けられ、
前記テンション用プーリは、前記モータ固定用ブラケットの一部を切り起こすことによって形成された支持部に回転自在に嵌め込まれ、
前記付勢バネは、前記モータ固定用ブラケットに設けられた前記支軸部に嵌め込まれている、原稿読取り装置。
【請求項２】
筐体と、
前記筐体に設けられ、原稿が載置される原稿載置部と、
前記筐体の内部でかつ前記原稿載置部の下方に配置され、走査することによって前記原稿載置部上に載置された原稿を読取る原稿読取り部と、
前記原稿読取り部を駆動するためのベルト駆動機構とを備えた原稿読取り装置であって、
前記ベルト駆動機構は、
前記原稿読取り部に所定位置が固定された環状形状を有するベルトと、
前記ベルトの内側に配置され、前記ベルトが掛け渡された駆動プーリおよび従動プーリと、
前記駆動プーリを回転駆動するモータと、
前記ベルトの外側に配置され、前記ベルトを内側に向かって押圧することにより、前記ベルトに張力を与える張力付与手段とを含み、
前記モータを前記筐体に固定するためのモータ固定用ブラケットに、前記張力付与手段が設けられている、原稿読取り装置。
【請求項３】
前記張力付与手段は、前記ベルトの外周面に当接するテンション用プーリと、前記テンション用プーリを前記ベルトの外周面に向かって押圧付勢する付勢バネとを有する、請求項２に記載の原稿読取り装置。
【請求項４】
前記テンション用プーリは、前記モータ固定用ブラケットの一部を切り起こすことによって形成された支持部に回転自在に嵌め込まれている、請求項３に記載の原稿読取り装置。
【請求項５】
前記駆動プーリは、前記モータ固定用ブラケットに設けられた支軸部に回転自在に取付けられ、
前記付勢バネは、前記モータ固定用ブラケットに設けられた前記支軸部に嵌め込まれている、請求項３または４に記載の原稿読取り装置。
【発明の詳細な説明】
【技術分野】
【０００１】
本発明は、原稿読取り装置に関するものであり、特に読取りセンサを含む原稿読取り部がベルトによって駆動される原稿読取り装置に関する。
【背景技術】
【０００２】
原稿読取り装置は、一般にスキャナと呼ばれ、ＯＡ機器の一つとして広く普及している。近年においては、プリンタにスキャナ機能を付加した複合機も商品化されており、オフィスのみならず家庭等においても広く普及している。原稿読取り装置は、原稿が載置される原稿載置部と、この原稿載置部の下方に移動可能に配設された原稿読取り部とを備え、原稿読取り部が駆動手段によって走査されることにより、原稿載置部に載置された原稿を画像として読取る（より厳密には、原稿に記された文章や図表を画像として読取る）。なお、通常、原稿読取り部は、原稿を読取る読取りセンサを含むユニットとして構成される。
【０００３】
原稿読取り装置においては、原稿読取り部の駆動手段として一般にベルト駆動機構が採用される。このベルト駆動機構は、環状形状を有するベルトを駆動プーリと従動プーリとに掛け渡すとともに、駆動プーリをモータの出力軸に取付け、掛け渡されたベルトの所定位置に原稿読取り部を固定することによって構成される。通常、駆動プーリとベルトには、それぞれ歯が設けられた歯付きプーリおよび歯付きベルトが利用され、駆動プーリにベルトが噛合することによりモータの駆動力がベルトへと伝達され、これにより原稿読取り部が所定方向に走査される。
【０００４】
安定して原稿を読取るためには、駆動プーリとベルトとの歯飛びを防止することが重要である。この歯飛びが生じた場合には、画像の読取り不良が発生し、正しく原稿を読取ることができなくなってしまう。歯飛びを防止するためには、駆動プーリに対するベルトの噛合力を高めることが必要であり、そのためにはベルトに所定の大きさの張力を付与することが必要になる。
【０００５】
ベルトに張力が付与されるように構成されたベルト駆動装置およびこれを備えた原稿読取り装置として、たとえば特開２００２−５４７０２号公報（特許文献１）に開示のベルト駆動装置や特開平１１−２０２４２４号公報（特許文献２）に開示の原稿読取り装置がある。上記特許文献１に開示のベルト駆動装置にあっては、ベルトに張力を付与する張力付与手段として、板バネとプーリとからなるタイトナが採用されている。また、上記特許文献２に開示の原稿読取り装置にあっては、テンション用プーリとダンパとからなる張力付与手段が採用されている。
【特許文献１】特開２００２−５４７０２号公報
【特許文献２】特開平１１−２０２４２４号公報
【発明の開示】
【発明が解決しようとする課題】
【０００６】
上述のベルト駆動機構は、原稿読取り装置の筐体にブラケットを介して取付けられる。その際、駆動プーリと従動プーリとは互いに距離をおいて配置されるため、通常はブラケットが複数に分割され、分割されたブラケットの各々が筐体の所定位置にそれぞれ取付けられることになる。
【０００７】
上記特許文献１に開示のベルト駆動装置および上記特許文献２に開示の原稿読取り装置においては、張力付与手段が固定されるブラケット、モータおよび駆動プーリが固定されるブラケット、および従動プーリが固定されるブラケットの少なくとも３つ以上のブラケットが必要となり、部品点数が多く製造コストが増大するばかりでなく、組付け作業も煩雑なものとなる。また、張力付与手段によって適切にベルトに張力が付与されるようにするためには、ベルトに対する張力付与手段の設置位置を高精度に保つことが必要になるが、ブラケットが複数に分割されればされる程、これらブラケット同士の組付け位置精度を高精度に管理することが困難となるため、十分な張力の確保ができなくなるおそれもある。
【０００８】
したがって、本発明は、上述の問題点を解決すべくなされたものであり、部品点数が削減され、安価にかつ容易に組付けることが可能で、かつ歯飛びが確実に防止されたベルト駆動機構を備えた原稿読取り装置を提供することを目的とする。
【課題を解決するための手段】
【０００９】
本発明の第１の局面に基づく原稿読取り装置は、筐体と、上記筐体に設けられ、原稿が載置される原稿載置部と、上記筐体の内部でかつ上記原稿載置部の下方に配置され、走査することによって上記原稿載置部上に載置された原稿を読取る原稿読取り部と、上記原稿読取り部を駆動するためのベルト駆動機構とを備える。上記ベルト駆動機構は、上記原稿読取り部に所定位置が固定された環状形状を有するベルトと、上記ベルトの内側に配置され、上記ベルトが掛け渡された駆動プーリおよび従動プーリと、上記駆動プーリを回転駆動するモータと、上記ベルトの外側に配置され、上記ベルトを内側に向かって押圧することにより、上記ベルトに張力を与える張力付与手段とを含む。上記張力付与手段は、上記ベルトの外側に配置され、上記ベルトの外周面に当接するテンション用プーリと、上記テンション用プーリを上記ベルトの外周面に向かって押圧付勢する付勢バネとを有する。上記モータは、上記筐体にモータ固定用ブラケットを介して取付けられ、上記駆動プーリは、上記モータ固定用ブラケットに設けられた支軸部に回転自在に取付けられている。また、上記テンション用プーリは、上記モータ固定用ブラケットの一部を切り起こすことによって形成された支持部に回転自在に嵌め込まれ、上記付勢バネは、上記モータ固定用ブラケットに設けられた上記支軸部に嵌め込まれている。
【００１０】
このように構成することにより、モータが固定されるモータ固定用ブラケットに容易にテンション用プーリと付勢バネとからなる張力付与手段を設けることが可能となり、モータを固定するためのブラケットとテンション用プーリを取付けるためのブラケットとを容易に共通化することができる。したがって、ブラケットの数を削減することが可能になるため、製造コストが削減されるのみならず、組付け作業も容易化する。また、ベルトに対する張力付与手段の設置位置を高精度に保つことができるとともに、駆動プーリとテンション用プーリとの間の距離を近く構成することができるため、適切な大きさの張力をベルトの適切な位置に確実に付与することができるようになる。したがって、歯飛びが確実に防止されたベルト駆動機構を備えた原稿読取り装置とすることができる。
【００１１】
本発明の第２の局面に基づく原稿読取り装置は、筐体と、上記筐体に設けられ、原稿が載置される原稿載置部と、上記筐体の内部でかつ上記原稿載置部の下方に配置され、走査することによって上記原稿載置部上に載置された原稿を読取る原稿読取り部と、上記原稿読取り部を駆動するためのベルト駆動機構とを備える。上記ベルト駆動機構は、上記原稿読取り部に所定位置が固定された環状形状を有するベルトと、上記ベルトの内側に配置され、上記ベルトが掛け渡された駆動プーリおよび従動プーリと、上記駆動プーリを回転駆動するモータと、上記ベルトの外側に配置され、上記ベルトを内側に向かって押圧することにより、上記ベルトに張力を与える張力付与手段とを含む。そして、上記張力付与手段が、上記モータを上記筐体に固定するためのモータ固定用ブラケットに設けられている。
【００１２】
このように、モータが固定されるモータ固定用ブラケットに張力付与手段を設けることにより、ブラケットの数を削減することが可能になるため、製造コストが削減されるのみならず、組付け作業も容易化する。また、ベルトに対する張力付与手段の設置位置を高精度に保つことができるとともに、駆動プーリと張力付与手段との間の距離を近く構成することができるため、適切な大きさの張力をベルトの適切な位置に確実に付与することができるようになる。したがって、歯飛びが確実に防止されたベルト駆動機構を備えた原稿読取り装置とすることができる。
【００１３】
上記本発明に基づく原稿読取り装置にあっては、上記張力付与手段が、上記ベルトの外周面に当接するテンション用プーリと、上記テンション用プーリを上記ベルトの外周面に向かって押圧付勢する付勢バネとを有していることが好ましい。
【００１４】
このように、テンション用プーリと付勢バネとで張力付与手段を構成すことにより、少ない部品点数で安価に張力付与手段を構成することが可能になる。
【００１５】
上記本発明に基づく原稿読取り装置にあっては、上記テンション用プーリが、上記ブラケットの一部を切り起こすことによって形成された支持部に回転自在に嵌め込まれていることが好ましい。
【００１６】
このように構成することにより、モータ固定用ブラケットに容易にテンション用プーリを取付けることができ、モータを固定するためのブラケットとテンション用プーリを取付けるためのブラケットとを容易に共通化することができる。
【００１７】
上記本発明に基づく原稿読取り装置にあっては、上記駆動プーリが、上記ブラケットに設けられた支軸部に回転自在に取付けられていることが好ましく、その場合に、上記付勢バネが上記モータ固定用ブラケットに設けられた上記支軸部に嵌め込まれていることが好ましい。
【００１８】
このように構成することにより、モータ固定用ブラケットに容易に付勢バネを取付けることができ、モータを固定するためのブラケットと付勢バネを取付けるためのブラケットとを容易に共通化することができる。
【発明の効果】
【００１９】
本発明によれば、部品点数が削減され、安価にかつ容易に組付けることが可能で、かつ歯飛びが確実に防止されたベルト駆動機構を備えた原稿読取り装置とすることができる。
【発明を実施するための最良の形態】
【００２０】
以下、本発明の一実施の形態について、図を参照して詳細に説明する。なお、以下に示す実施の形態においては、原稿読取り装置として、プリンタ機能とスキャナ機能とを備えた複合機を例示して説明を行なう。
【００２１】
図１は、本発明の実施の形態における原稿読取り装置の外観斜視図である。また、図２は、本実施の形態における原稿読取り装置のベルト駆動機構の構成を示す平面図である。また、図３は、本実施の形態における原稿読取り装置のベルト駆動機構のモータ固定用ブラケット近傍の詳細な構造を示す斜視図であり、図４は、当該部分の組付け構造を示す分解斜視図である。
【００２２】
図１に示すように、本実施の形態における原稿読取り装置１は、上ケース１１および下ケース１２からなる筐体１０と、筐体１０の上面に開閉自在に取付けられた開閉カバー１３とを備えている。上ケース１１の上面には、開口部１５が設けられており、この開口部１５には、ガラス板１６が嵌め込まれている。なお、この開口部１５とガラス板１６とにより、原稿載置部１４が構成される。開閉カバー１３の下面の所定位置には、たとえばスポンジ等からなるクッション材１７が貼付されており、このクッション材１７は、開閉カバー１３を閉じた状態において、上述の原稿載置部１４に当接する。このクッション材１７は、原稿載置部１４に載置された原稿をガラス板１６に密着させるためのものである。
【００２３】
本実施の形態における原稿読取り装置１は、スキャナ機能に加えてプリンタ機能をも備えた複合機であるため、筐体１０の背面に給紙口が、筐体１０の前面に排紙口１８がそれぞれ設けられている。
【００２４】
図２に示すように、本実施の形態における原稿読取り装置１の筐体１０の内部には、原稿読取り部としての原稿読取りユニット２０と、原稿読取りユニット２０の駆動手段であるベルト駆動機構３０とが配置されている。
【００２５】
原稿読取りユニット２０は、上述の原稿載置部１４の下方に配置され、原稿載置部１４の短手方向を橋渡しするように設けられている。原稿読取りユニット２０には、上記原稿載置部１４にそのセンサ面が向くように配置されたイメージセンサ２１が設けられている。原稿読取りユニット２０の長手方向の両端部は、筐体１０に設けられたガイドレール１９に係合しており、また、原稿読取りユニット２０の略中央部は、筐体１０の内部に取付けられたガイドシャフト２４に係合している。後述するベルト駆動機構３０によってこの原稿読取りユニット２０が駆動された場合には、これらガイドレール１９およびガイドシャフト２４によって原稿読取りユニット２０が案内され、図中矢印Ｂ１およびＢ２方向に走査する。
【００２６】
図２および図３に示すように、ベルト駆動機構３０は、ベルト３１と、このベルト３１が掛け渡される駆動プーリ３２、従動プーリ３３，３４およびテンション用プーリ３５からなる４つのプーリと、テンション用プーリ３５を所定の方向に押圧付勢する付勢バネ３８と、駆動プーリ３２を回転駆動するモータ３６とを主に備えている。なお、図２においては、付勢バネ３８の図示は省略している。
【００２７】
図２に示すように、ベルト３１は、原稿読取りユニット２０に所定位置（図中において符号３１ａで示す位置）が固定されている。ベルト３１としては、たとえば硬質のゴム材料からなる環状形状を有する歯付きベルトが利用され、その内周面には所定のピッチで均等に歯が設けられている。ベルト３１は、筐体１０の内部において、筐体１０の長手方向の両端部近傍に配置された従動プーリ３３，３４を掛け渡すように設けられ、さらにその一部が、筐体１０の手前側の隅の部分に配置された駆動プーリ３２およびテンション用プーリ３５に掛け渡されている。
【００２８】
図３に示すように、駆動プーリ３２は、モータ３６が固定されたモータ固定用ブラケット４０に回転自在に取付けられている。より具体的には、図４に示すように、駆動プーリ３２は、モータ固定用ブラケット４０に設けられた支軸部４２に嵌め込まれることにより、モータ固定用ブラケット４０に回転自在に取付けられている。ここで、モータ固定用ブラケット４０は、筐体１０にモータ３６を固定するためのブラケットである。駆動プーリ３２としては、ギヤ部３２ａと歯付きプーリ部３２ｂとキャップ部３２ｃとを備えた歯付きプーリが利用される。
【００２９】
図３に示すように、駆動プーリ３２のギヤ部３２ａは、モータ３６の出力軸に取付けられたピニオン３７に噛合しており、歯付きプーリ部３２ｂは、この駆動プーリ３２に掛け渡されたベルト３１に設けられた歯に噛合している。駆動プーリ３２は、ベルト３１の内側に配置され、モータ３６にて生じる回転駆動力をピニオン３７を介して受け取り、ベルト３１へと伝達する。これにより、ベルト３１は、図２中に示す矢印Ａ１およびＡ２方向に駆動され、これに伴って原稿読取りユニット２０が図２中に示す矢印Ｂ１およびＢ２方向に駆動されることになる。
【００３０】
図２に示すように、従動プーリ３３は、ブラケット５０に回転自在に取付けられている。この従動プーリ３３が取付けられたブラケット５０は、上述のモータ固定用ブラケット４０とは別体のブラケットである。また、図２および図３に示すように、従動プーリ３４は、モータ３６が固定されたモータ固定用ブラケット４０に回転自在に取付けられている。これら従動プーリ３３，３４としては、いずれも周面に歯が設けられていない平プーリやＶプーリ等が利用される。従動プーリ３３，３４は、ベルト３１の内側に配置され、自らが従動回転することによってベルト３１を案内する。
【００３１】
図３に示すように、テンション用プーリ３５は、モータ３６が固定されたモータ固定用ブラケット４０に回転自在に取付けられる。より具体的には、図４に示すように、モータ固定用ブラケット４０の一部を切り起こすことによって形成された支持部４１の切り込み部分に嵌め込まれている。テンション用プーリ３５としては、周面に歯が設けられていない平プーリやＶプーリ等が利用される。図３に示すように、テンション用プーリ３５は、ベルト３１の外側に配置され、ベルト３１の外周面に当接している。
【００３２】
図４に示すように、テンション用プーリ３５の下部には、当接部３５ａが設けられている。当接部３５ａには、モータ固定用ブラケット４０の支軸部４２に嵌め込まれた付勢バネ３８の一端３８ａが当接している。付勢バネ３８の他端は、モータ固定用ブラケット４０に固定されており、これによりテンション用プーリ３５は、付勢バネ３８によってベルト３１の外周面に押圧付勢される。そのため、ベルト３１には、テンション用プーリ３５によって所定の大きさの張力が付与されることになる。
【００３３】
したがって、上記テンション用プーリ３５と付勢バネ３８とが張力付与手段として機能することになり、ベルト３１がテンション用プーリ３５によって内側に常時押圧された状態が実現され、駆動プーリ３２とベルト３１との歯飛びが防止されるようになる。なお、テンション用プーリ３５は、ベルト３１と付勢バネ３８とによって挟持されることになるため、支持部４１の切り込みに沿って移動し、支持部４１から脱落することはない。
【００３４】
以上において説明した本実施の形態における原稿読取り装置１においては、モータ３６が固定されるモータ固定用ブラケット４０に、張力付与手段であるテンション用プーリ３５と付勢バネ３８が取付けられている。したがって、上述の構成とすることにより、従来少なくとも３つ以上必要だったブラケットのうち、モータを固定するためのブラケットとテンション用プーリを取付けるためのブラケットとが共通化できることとなり、ブラケットの数が２つにまで削減できる。したがって、製造コストの削減と組付け作業の容易化とが可能になる。
【００３５】
また、上述の構成を採用することにより、ブラケットの数が削減されるため、ベルト３１に対するテンション用プーリ３５の設置位置を高精度に保つことができるとともに、ベルト３１を駆動する駆動プーリ３２とベルト３１に張力を付与するテンション用プーリ３５とを近く配置することが可能になり、適切な大きさの張力をベルト３１の適切な位置に確実に付与することができるようになる。したがって、歯飛びが確実に防止されるようになる。
【００３６】
また、上述の構成を採用することにより、モータ固定用ブラケット４０を切り起こすことによって容易にテンション用プーリ３５を取付けるための支持部４１を形成することができるため、さらなる製造コストの削減が図られる。また、駆動プーリ３２が取付けられる支軸部４２に付勢バネ３８を嵌め込んで取付けることができるため、構造が簡素化し、さらなる製造コストの削減が図られる。
【００３７】
上述の実施の形態においては、スキャナ機能とプリンタ機能とを兼ね備えた複合機に本発明を適用した場合を例示して説明を行なったが、本発明は当然にスキャナ機能のみを備えたスキャナ装置にも適用が可能である。また、本発明はベルと駆動機構を有するスキャナ機能を備えた装置であればどのようなものにも適用が可能であり、上記のほかにもファクシミリや複写機等にも適用が可能である。
【００３８】
なお、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００３９】
【図１】本発明の実施の形態における原稿読取り装置の外観斜視図である。
【図２】本発明の実施の形態における原稿読取り装置のベルト駆動機構の構成を示す平面図である。
【図３】本発明の実施の形態における原稿読取り装置のベルト駆動機構のモータ固定用ブラケット近傍の詳細な構造を示す斜視図である。
【図４】本発明の実施の形態における原稿読取り装置のベルト駆動機構のモータ固定用ブラケット近傍における組付け構造を示す分解斜視図である。
【符号の説明】
【００４０】
１  原稿読取り装置、１０  筐体、１１  上ケース、１２  下ケース、１３  開閉カバー、１４  原稿載置部、１５  開口部、１６  ガラス板、１７  クッション材、１８  排紙口、１９  ガイドレール、２０  原稿読取りユニット、２１  イメージセンサ、２４  ガイドシャフト、３０  ベルト駆動機構、３１  ベルト、３２  駆動プーリ、３２ａ  ギヤ部、３２ｂ  歯付きプーリ部、３２ｃ  キャップ部、３３，３４  従動プーリ、３５  テンション用プーリ、３５ａ  当接部、３６  モータ、３７  ピニオン、３８  付勢バネ、３８ａ  一端、４０  モータ固定用ブラケット、４１  支持部、４２  支軸部、５０  ブラケット。
【図１】
2007093935.tif 000003
【図２】
2007093935.tif 000004
【図３】
2007093935.tif 000005
【図４】
2007093935.tif 000006